(57)【要約】      （修正有）【課題】インク溜め管内の空気圧の変化をインクに置き換えた吸入の機構、構造を提供する。【解決手段】万年筆におけるインクの吸入、停止、送流、等の手法、構造を空気圧の変化によってワンタッチ（自動）で実行出来る機構にした物である。基管１０４の中にシリコンブッシュによって二つ空域を創り、減圧、流入する事でインクの流れ、保留を新しい構造で解決した。【選択図】図９
0003166316.tif 000002
【実用新案登録請求の範囲】
【請求項１】
本考案は、筆記具（万年筆）のインクの吸入手法（構造）に関する考案である。図１０４インク溜め管内を、１０７のシリコンブッシュでａ，ｂの２空域に分割されるシリンダー管を基管として管内の空気圧の変化をもたらし、インク（流体）を誘引、送出する考案である。又、本基管は、ガラス又は、アクリル等を素材としている為めインクの色、残量を目視する事が出来る。
【請求項２】
本考案は、インク（流体）の流量を１０８ａ，１０８ｂ，のインク遮断ストッパーによって、１１４ａのメネジと１１０軸のオネジで１０８ａを作動しコントロールしています。インクのボタ落ち、インクの出すぎ、過少等を調整可能な新考案である。
【請求項３】
本提案は、請求項２の１０８ａ，１０８ｂ，の接合、脱離を正確かつ確実に履行する為１０６ａ，１０６ｂ，の回転止めストッパーを有し、インク吸入時、インク流量の調整を助ける新考案である。
【考案の詳細な説明】
【技術分野】
【０００１】  本考案は、インクの吸入をワンタッチ（自動）で流入させる為の機構、構造を開発したものである。流体の移動（インク）の手段として、空気圧の変化を利用した物である。
【背景技術】
【０００２】本考案は、万年筆におけるインクの保留、吸引、送流、等の手法（構造）、に関する、従来の手法として代表されるカートリッジ式、スポイト式、ピストン式、インク止め式、等、多種にわたり製作、販売されております
【先行技術文献】
【特許文献】
【特許文献】  特開  ２００８−１４２９８４
【考案の概要】
本考案は、インクの吸引、注入に関する提案である。インク溜め管内を空気圧の変化（減圧）をインク（流体）に置き換え吸入の機構、構造を完成させた物である。
【考案が解決しようとする課題】
【０００３】インクの注入、吸引の従来方式の問題点及び課題点
Ａ，気温、湿度、振動、等の自然の変化によってインクが多量に流れ出る現象が多々起きてしまう。（ボタ落ち）と呼ばれている。
Ｂ，インクの総量、が少ない、残量が確認しずらい。
Ｃ，インクの注入、交換時に周囲をインクで汚してしまう。
Ｄ，インクの注入、交換の楽しみ感動が少ない。
Ｅ，インクの注入時、安定、確実性にかけていた。
【課題を解決するための手段】
【０００４】本考案は、０００３項の問題点及び課題点を解決するために考案したものである．空気圧（減圧）を流体（インク）に変換し確実に機能させた考案である。【０００５】解決手段、インクの吸入量を８０％以上吸引する事が出来ます。それは１０４溜め管内の部品を１０７をシリコンで、１１０をエボナイトに、１１１の気密性の高いシリコンに、又１０８ａｂを摩擦に強いエボナイトを球面研磨して、更に１０８ａｂの接合を強める為１１０軸と１１４ａのかみ合いにＭ−３のオネジとメネジで締め付けています。
【考案の効果】
【０００６】この提案は、万年筆のインク注入、吸引、に新しい風、波をもたらし万年筆愛好家、及び手書きを伴う諸産業の各位に寄与するものである。
過去の吸引装置との違い、空気圧を用いた吸入装置は数点有りましたが、何処か欠点又は、不備が有り広く普及する事は無かった。本提案は、それら機能不備を解決しています。
【図面の簡単な説明】
【図１】万年筆軸外観を示す。Ａ側ペン先、Ｂ側しり軸を示します。
【図２】ペン先とインク溜め管内の外観を示します。
【図３】インク溜め管（軸）の拡大図を示します。
【図４】インク溜め管内の１１２移動ツマミがＤ側へ引かれた状態図。
【図５】インク溜め管内の１１２移動ツマミがＥ側へ押し出された状態図。
【図６】１１４ａ，ｂシリコン（１０７）固定治具拡大図、１０８ａ，ｂが接合されている。
【図７】ＮＯ６拡大図の、１０８ａｂが開放（開いた）状態図。
【図８】インクの流れを示す拡大図、１０８ａｂが接合された状態でＧ側へ押された図。
【図９】インクの流れを示す拡大図、１０８ａ，ｂが開放されインクが管内に流入した図。
【考案を実施するための形態】
【０００７】本考案の図２は、基本的な形態を各部の番号で説明しています。また１０７、１１１、をインクに強く弾力性の在るシリコンを使用し機密性を向上させています。また、１０４インク溜め管は、ガラス又は、アクリルの透明な円状の管を用いインクの残量、色、管内部が目視出来る用にしました。
【０００８】本考案は、万年筆におけるインクの溜めるに関わる国内、海外に置いての新提案である。万年筆軸１０３は１０１ペン先と、１０２ペン芯から構成されている。１０３軸の内側に１０４を基管とする本考案の詳細があります。
【０００９】吸入、１０７シリコンブッシュを拡大図（図４）の用にＤ側に１１２シリンダー移動ツマミで移動させる。１１２を右側（右回転）に数回まわすと１１２と１１０（移動軸）が連動し１０８ａと１０８ｂがテイパー面で接合（図６）し１１４ａ，１１４ｂ、を回転させ同時に１０７も回転する。１０７が回転すると１０４インク溜め管内が１０７によってａ側、ｂ側の二つの  空域に分かれました。ｂ側の空気は、１０８ａ，１０８ｂの接合と１１１のシリコンブッシュによって外部と空気が断絶され気密な状態に成ります。
【００１０】吸入、０００９項の状態から１１２をＣ方向に移動すると、ｂ側の空気は減圧される。図５が示す。理論的に０００９項の狭い空域ｂは図５の用に広い空域ｂに変化すると、ｂの空域は外部と遮蔽されて居る為ｂの空気は減圧されます。図８が示す。
【００１１】吸入、００１０項の状態から１０６ａ，１０６ｂがかみ合った事を確認し、１１２のツマミを左に回すと１０７、１１４ａ、ｂは回らず１１０軸のみ回り１０８ａ、と１０８ｂを開放し外部空気がｂ側に瞬時に空入します。図９、それはｂ側の空気が減圧され、外部と遮蔽されていたからである。外部から空気の変わりに流体（インク）を流入させた仕組みが本考案の吸入である。
【００１２】流出及び停止、図５、図９の状態で１０８ａ、１０８ｂが開放されている時、インクは流出されます。又、インクが充填されている時１０８ａ，１０８ｂを１１２移動ツマミで右に回すと接合しａのタンクとｂのタンクは遮断（停止）されます。
【００１３】吸入の詳細、００１１項までに吸入の原理を説明していますが更に追説します。１０７を中心に１０６ａ、１１４ａｂ、１０８ａｂ、は左右移動用として一体化しています。１１０の先  端にＭ−３のオネジが、１１４ａの中心にＭ−３のメネジが有り、図６、図７参照１１０軸のＭ−３のネジで左右移動用として一体化しています。１０７のシリコンを回転する為には１１０軸が回転しＭ−３のネジが締め付けられ、１０８ａｂが接合し１１４ａを回転させ１０７を誘導し回転する。１０７が回転する事を確認（１０８ａｂが接合）する事はａの空域とｂの空域が遮断された事を意味します。
【００１４】吸入の詳細、図５、図６、は減圧されたタンクｂが１０６ａ，１０６ｂ、に接合した状態図である。減圧されたタンクｂにインクを流入する為には、１０８ａｂを開く事によって１０５のインクをタンクｂに吸引出来ます。１０６ａｂが接合されている事を確認し、１１４ａは１０６ａｂと一体化し１１２移動ツマミを左に回すと１１０軸が回転しＭ−３のオネジが左に回り１０８ａｂは開放されインクがタンクｂに吸引されます。
【００１５】  本考案の相違点。本考案は図６，図７の拡大図に図解される様に１１４ａを１１０軸のＭ−３のオネジが１１４ａのメネジと噛み合いシリンダー部全体を移動させている。又、１０８ａｂは１０４インク溜め管内部のａ，ｂ，のタンク域を１０７シリコンブッシュと連動し  タンクａ，ｂ，を開閉しています。図８は１０８ａ，ｂ，が閉じた状態でＨからＧへ押されタンクｂが最大に減圧された図である。
【００１６】    本考案の相違点、００１５項で減圧されたタンクｂを開放する為には１１０軸を左に回し１０８ａｂを開く必要があります。１１０軸を回すとシリンダー部全体が回り、１０８ａｂのみ開放させる為に１０６ａｂの回転止めを考案しました。シリンダー部全体は１０６ａｂで止められシリンダーは回らず１０８ａｂのみ開放され１０５内のインクが１１５の流体通坑口を通りタンクｂ域に瞬時に吸入されます。図９が吸引された図を示します。
【産業上の利用可能性】
【００１７】本提案は、ワンタッチで流体を吸い上げる（移動）する事が出来る為め、使用場所が限定されたり、細い空間の中から流体を吸い上げる等の一般産業分野に置いても可能性が有ります。
【符号の説明】
【００１８】１０１ペン先。１０２ペン芯。１０３ペン軸。１０４インク溜め管。１０５インクの通流穴。１０６ａ回転止めストッパー。１０６ｂ回転止めストッパー。１０７シリコンブッシュ。１０８インク遮断弁。１０９インク通流口。１１０シリンダー移動軸。１１１シリコンブッシュ。１１２シリンダー移動ツマミ。１１３ツマミ固定ネジ。１１４ａ，ｂシリコン固定ネジ。
【図１】
0003166316.tif 000003
【図２】
0003166316.tif 000004
【図３】
0003166316.tif 000005
【図４】
0003166316.tif 000006
【図６】
0003166316.tif 000007
【図８】
0003166316.tif 000008
【手続補正書】
【提出日】平成22年12月3日(2010.12.3)
【手続補正１】
【補正対象書類名】実用新案登録請求の範囲
【補正対象項目名】全文
【補正方法】変更
【補正の内容】
【実用新案登録請求の範囲】
【請求項１】
インク溜め管内を二つの空域に区分する役割を有する遮断シリコンブッシュが、ペン先側の回転止めストッパーと、移動軸側の気密保持シリコンとの間に、遮断シリコンブッシュが有り、シリコンブッシュ内に接続されたインク遮断弁がシリンダーに移動ツマミに連動された移動軸のオネジが回転しオネジの先に付属する弁が閉じた時、インク溜め管内は二つの空域に分割され、遮断シリコンブッシュが遮断弁を開放された状態でシリンダー移動ツマミによって移動軸を後方へ引かれた状態で移動軸のオネジの先に付属する遮断弁を回転して閉じるように移軸をペン先側へ押し出すとシリンダー移動ツマミ、移動軸側の空域は減圧される構造を有する万年筆インク吸入器。
【請求項２】
移動軸のオネジと遮断シリコンブッシュ内に接続されたシリコン固定部品内のメネジにより移動軸のオネジの回転でインク遮断弁が開閉されインク溜め管内を二つ空域に分割、シリンダー移動ツマミを回転、移動する事で空域を調整出来る、請求項１の万年筆インク吸入器。
【請求項３】
遮断シリコンブッシュを後方に引かれた状態で移動軸を右に回転させ、インク遮断弁が閉じた状態で押し出されると、ペン先側の回転止めストッパーと遮断シリコンブッシュに接続されたシリコン固定部品側の回転止めストッパーが噛み合い、インク遮断弁を開く時シリコン部品内のメネジが固定されオネジのみ回転しオネジの先に付属する弁が開く回転防止ストッパー機能を有する請求項１の万年筆のインク吸入器。
【手続補正３】
【補正対象書類名】明細書
【補正対象項目名】００１８
【補正方法】変更
【補正の内容】
【００１８】
【符合の説明】
１０１  ペン先。１０２  ペン芯。１０３  ペン軸。１０４  インク溜め管。１０５  インクの通流穴。１０６ａ  回転止めストッパー。１０６ｂ  回転止めストッパー。１０７  遮断シリコンブッシュ。１０８ａ  インク遮断弁。１０８ｂ  インク遮断弁。１０９  インク通流口。１１０  シリンダー移動軸。１１１  気密保持シリコン。１１２  シリンダー移動ツマミ。１１３  ツマミ固定ネジ。１１４ａ  シリコン固定ネジ、メネジ側。１１４ｂ  シリコン固定ネジオネジ側。ａ  回転止めストッパー、ペン先側の空域。ｂ  シリンダー移動軸側の空域  Ａ，Ｃ，Ｅ，Ｇ，Ｉ，ペン先側を意味。Ｂ，Ｄ，Ｆ，Ｈ，Ｊ，移動ツマミ側を意味
【手続補正４】
【補正対象書類名】図面
【補正対象項目名】全図
【補正方法】変更
【補正の内容】
【図１】
0003166316.tif 000009
【図２】
0003166316.tif 000010
【図３】
0003166316.tif 000011
【図４】
0003166316.tif 000012
【図５】
0003166316.tif 000013
【図６】
0003166316.tif 000014
【図７】
0003166316.tif 000015
【図８】
0003166316.tif 000016
【図９】
0003166316.tif 000017